(57)【要約】【課題】  一人暮らしのお年寄りなどを“オレオレ詐欺”等の被害から護ることができる電話機を提供する。【解決手段】  音声入力部２７から入力させた予め登録を要する者の音声信号から個人性を表す個人性特徴量を抽出し（第１特徴量抽出手段３２）、記憶部８に記憶する。一方、電話がかかってきた場合には、電話回線からの音声信号から個人性を表す個人性特徴量を抽出し（第２特徴量抽出手段３４）、当該個人性特徴量と記憶部８に記憶された個人性特徴量とを比較して電話回線から入力された音声信号の発信者が記憶部８に個人性特徴量が登録されている者であるか否かを判定し（判定手段３５）、判定結果を報知する（判定結果報知手段３６）。これにより、個人性特徴量が記憶部８に記憶されていない未登録者からの電話であった場合にはその旨が報知されるので、近親者等を登録者としておけば、“オレオレ詐欺”等の被害から護ることができる。【選択図】    図３
2008271590.tif 000002
【特許請求の範囲】
【請求項１】
電話回線に接続され、音声入力部から入力された音声を前記電話回線を通じて通信する電話機において、
予め登録を要する者の前記音声入力部からの音声の入力を受け付ける登録音声入力手段と、
この登録音声入力手段により受け付けた音声信号から個人性を表す個人性特徴量を抽出する第１特徴量抽出手段と、
この特徴量抽出手段により抽出された個人性特徴量を記憶部に記憶する記憶手段と、
前記電話回線からの音声の入力を受け付ける電話音声入力手段と、
この電話音声入力手段により受け付けた音声信号から個人性を表す個人性特徴量を抽出する第２特徴量抽出手段と、
この第２特徴量抽出手段により抽出した個人性特徴量と前記記憶部に記憶された個人性特徴量とを比較し、前記電話回線から入力された音声信号の発信者が前記記憶部に個人性特徴量が登録されている者であるか否かを判定する判定手段と、
この判定手段による判定結果を報知する判定結果報知手段と、
を備えることを特徴とする電話機。
【請求項２】
電話回線に接続され、音声入力部から入力された音声を前記電話回線を通じて通信する電話機において、
予め登録を要する者の前記音声入力部からの音声の入力を受け付ける登録音声入力手段と、
この登録音声入力手段により受け付けた音声信号から個人性を表す個人性特徴量を抽出する第１特徴量抽出手段と、
この特徴量抽出手段により抽出された個人性特徴量を記憶部に記憶する記憶手段と、
前記電話回線からの音声の入力を受け付ける電話音声入力手段と、
この電話音声入力手段により受け付けた音声信号から個人性を表す個人性特徴量を抽出する第２特徴量抽出手段と、
前記記憶手段により前記記憶部に個人性特徴量が登録されている者のうち二人以上を同時に選択する登録者選択手段と、
この登録者選択手段によって選択された登録者の前記記憶部に登録されている個人性特徴量と前記第２特徴量抽出手段により抽出した個人性特徴量とを比較し、前記電話回線から入力された音声信号の発信者が前記記憶部に個人性特徴量が登録されている者であるか否かを判定する判定手段と、
この判定手段による判定結果を報知する判定結果報知手段と、
を備えることを特徴とする電話機。
【請求項３】
前記登録音声入力手段で受け付けた音声を電話音声品質に変換する音質変換手段を備える、
ことを特徴とする請求項２記載の電話機。
【請求項４】
電話回線に接続される電話機において、
予め登録を要する者の前記電話回線からの音声の入力を受け付ける登録音声入力手段と、
この登録音声入力手段により受け付けた音声信号から個人性を表す個人性特徴量を抽出する第１特徴量抽出手段と、
この特徴量抽出手段により抽出された個人性特徴量を記憶部に記憶する記憶手段と、
前記電話回線からの音声の入力を受け付ける電話音声入力手段と、
この電話音声入力手段により受け付けた音声信号から個人性を表す個人性特徴量を抽出する第２特徴量抽出手段と、
この第２特徴量抽出手段により抽出した個人性特徴量と前記記憶部に記憶された個人性特徴量とを比較し、前記電話回線から入力された音声信号の発信者が前記記憶部に個人性特徴量が登録されている者であるか否かを判定する判定手段と、
この判定手段による判定結果を報知する判定結果報知手段と、
を備えることを特徴とする電話機。
【請求項５】
電話回線に接続される電話機において、
予め登録を要する者の前記電話回線からの音声の入力を受け付ける登録音声入力手段と、
この登録音声入力手段により受け付けた音声信号から個人性を表す個人性特徴量を抽出する第１特徴量抽出手段と、
この特徴量抽出手段により抽出された個人性特徴量を記憶部に記憶する記憶手段と、
前記電話回線からの音声の入力を受け付ける電話音声入力手段と、
この電話音声入力手段により受け付けた音声信号から個人性を表す個人性特徴量を抽出する第２特徴量抽出手段と、
前記記憶手段により前記記憶部に個人性特徴量が登録されている者のうち二人以上を同時に選択する登録者選択手段と、
この登録者選択手段によって選択された登録者の前記記憶部に登録されている個人性特徴量と前記第２特徴量抽出手段により抽出した個人性特徴量とを比較し、前記電話回線から入力された音声信号の発信者が前記記憶部に個人性特徴量が登録されている者であるか否かを判定する判定手段と、
この判定手段による判定結果を報知する判定結果報知手段と、
を備えることを特徴とする電話機。
【請求項６】
予め登録を要する者の認証を行う認証手段を備え、
前記登録音声入力手段は、前記認証手段で認証された場合にのみ、受け付けた音声を前記第１特徴量抽出手段に出力する、
ことを特徴とする請求項４または５記載の電話機。
【請求項７】
２色の発光手段を備えており、
前記判定結果報知手段は、前記判定手段による判定結果に応じて２色の前記発光手段のうち、いずれか一方の前記発光手段を発光させる、
ことを特徴とする請求項１ないし６のいずれか一記載の電話機。
【請求項８】
発声手段を備えており、
前記判定結果報知手段は、前記判定手段による判定結果を、前記発声手段を介して出力する、
ことを特徴とする請求項１ないし６のいずれか一記載の電話機。
【請求項９】
前記判定結果報知手段は、前記判定手段による判定結果を、音声入力部から入力された音声に混信させる、
ことを特徴とする請求項１ないし６のいずれか一記載の電話機。
【請求項１０】
電話回線に接続され、音声入力部から入力された音声を前記電話回線を通じて通信する電話機を制御するコンピュータに読取可能なプログラムであって、
予め登録を要する者の前記音声入力部からの音声の入力を受け付ける登録音声入力機能と、
この登録音声入力機能により受け付けた音声信号から個人性を表す個人性特徴量を抽出する第１特徴量抽出機能と、
この特徴量抽出機能により抽出された個人性特徴量を記憶部に記憶する記憶機能と、
前記電話回線からの音声の入力を受け付ける電話音声入力機能と、
この電話音声入力機能により受け付けた音声信号から個人性を表す個人性特徴量を抽出する第２特徴量抽出機能と、
この第２特徴量抽出機能により抽出した個人性特徴量と前記記憶部に記憶された個人性特徴量とを比較し、前記電話回線から入力された音声信号の発信者が前記記憶部に個人性特徴量が登録されている者であるか否かを判定する判定機能と、
この判定機能による判定結果を報知する判定結果報知機能と、
を前記コンピュータに実行させることを特徴とするプログラム。
【発明の詳細な説明】
【技術分野】
【０００１】
本発明は、電話機およびプログラムに関する。
【背景技術】
【０００２】
従来、話者認識技術の応用として、例えば特許文献１に示されるような電話応答支援装置／方法が提案されている。特許文献１の電話応答支援装置／方法は、企業や団体の電話受付業務において、対話の相手を容易に特定することが可能となるように、受信した音声データから発呼者を識別するとともに、音声データの内容を認識して、それらの情報から対話の相手を決定するというものである。このような特許文献１の電話応答支援装置／方法における音声データからの発呼者の識別においては、特定の決まった言葉を対象に識別を行う「テキスト依存型」の話者認識技術が用いられている。
【０００３】
【特許文献１】特開２００３−１５８５７９公報
【発明の開示】
【発明が解決しようとする課題】
【０００４】
ところで、近年においては、親族になりすまして一人暮らしのお年寄りの家に電話をかけて交通事故の示談金等の名目で金銭をだましとる、いわゆる“オレオレ詐欺”が多発している。このような“オレオレ詐欺”が成立する要因は、だます側が自分からは名乗らないことと、交通事故に遭ったなどという非日常的な状況に瀕した場合のように、冷静に話し相手が本当に自分の親族であるかどうかを判断できない状況にあるため、電話の相手が自分の親族であるとお年寄りが錯覚してしまうことである。
【０００５】
そこで、特許文献１の電話応答支援方法を用いて、受信した音声データから発呼者を識別するとともに、音声データの内容を認識して、それらの情報から対話の相手を決定するとことが考えられる。
【０００６】
ところが、“オレオレ詐欺”のようなシーンにおいては、悪意がある発呼者が予め決められた言葉を必ず発話するとは限らないため、言葉を指定しないで自由な発話中に識別を行う「テキスト独立型」の話者認識を行う必要があるが、一般に「テキスト独立型」は「テキスト依存型」に比べてより多くの計算量を要することになる。特に、登録者が複数いた場合に全ての登録者に対し、間違いなく登録者本人であるかを確認する「話者認証」を行う事は困難である。
【０００７】
本発明は、一人暮らしのお年寄りなどを“オレオレ詐欺”等の被害から護ることができる電話機およびプログラムを提供することを目的とする。
【課題を解決するための手段】
【０００８】
本発明は、電話回線に接続され、音声入力部から入力された音声を前記電話回線を通じて通信する電話機において、予め登録を要する者の前記音声入力部からの音声の入力を受け付ける登録音声入力手段と、この登録音声入力手段により受け付けた音声信号から個人性を表す個人性特徴量を抽出する第１特徴量抽出手段と、この特徴量抽出手段により抽出された個人性特徴量を記憶部に記憶する記憶手段と、前記電話回線からの音声の入力を受け付ける電話音声入力手段と、この電話音声入力手段により受け付けた音声信号から個人性を表す個人性特徴量を抽出する第２特徴量抽出手段と、この第２特徴量抽出手段により抽出した個人性特徴量と前記記憶部に記憶された個人性特徴量とを比較し、前記電話回線から入力された音声信号の発信者が前記記憶部に個人性特徴量が登録されている者であるか否かを判定する判定手段と、この判定手段による判定結果を報知する判定結果報知手段と、を備える。
【０００９】
別の面から見た本発明は、電話回線に接続され、音声入力部から入力された音声を前記電話回線を通じて通信する電話機において、予め登録を要する者の前記音声入力部からの音声の入力を受け付ける登録音声入力手段と、この登録音声入力手段により受け付けた音声信号から個人性を表す個人性特徴量を抽出する第１特徴量抽出手段と、この特徴量抽出手段により抽出された個人性特徴量を記憶部に記憶する記憶手段と、前記電話回線からの音声の入力を受け付ける電話音声入力手段と、この電話音声入力手段により受け付けた音声信号から個人性を表す個人性特徴量を抽出する第２特徴量抽出手段と、前記記憶手段により前記記憶部に個人性特徴量が登録されている者のうち二人以上を同時に選択する登録者選択手段と、この登録者選択手段によって選択された登録者の前記記憶部に登録されている個人性特徴量と前記第２特徴量抽出手段により抽出した個人性特徴量とを比較し、前記電話回線から入力された音声信号の発信者が前記記憶部に個人性特徴量が登録されている者であるか否かを判定する判定手段と、この判定手段による判定結果を報知する判定結果報知手段と、を備える。
【００１０】
別の面から見た本発明は、電話回線に接続される電話機において、予め登録を要する者の前記電話回線からの音声の入力を受け付ける登録音声入力手段と、この登録音声入力手段により受け付けた音声信号から個人性を表す個人性特徴量を抽出する第１特徴量抽出手段と、この特徴量抽出手段により抽出された個人性特徴量を記憶部に記憶する記憶手段と、前記電話回線からの音声の入力を受け付ける電話音声入力手段と、この電話音声入力手段により受け付けた音声信号から個人性を表す個人性特徴量を抽出する第２特徴量抽出手段と、この第２特徴量抽出手段により抽出した個人性特徴量と前記記憶部に記憶された個人性特徴量とを比較し、前記電話回線から入力された音声信号の発信者が前記記憶部に個人性特徴量が登録されている者であるか否かを判定する判定手段と、この判定手段による判定結果を報知する判定結果報知手段と、を備える。
【００１１】
別の面から見た本発明は、電話回線に接続される電話機において、予め登録を要する者の前記電話回線からの音声の入力を受け付ける登録音声入力手段と、この登録音声入力手段により受け付けた音声信号から個人性を表す個人性特徴量を抽出する第１特徴量抽出手段と、この特徴量抽出手段により抽出された個人性特徴量を記憶部に記憶する記憶手段と、前記電話回線からの音声の入力を受け付ける電話音声入力手段と、この電話音声入力手段により受け付けた音声信号から個人性を表す個人性特徴量を抽出する第２特徴量抽出手段と、前記記憶手段により前記記憶部に個人性特徴量が登録されている者のうち二人以上を同時に選択する登録者選択手段と、この登録者選択手段によって選択された登録者の前記記憶部に登録されている個人性特徴量と前記第２特徴量抽出手段により抽出した個人性特徴量とを比較し、前記電話回線から入力された音声信号の発信者が前記記憶部に個人性特徴量が登録されている者であるか否かを判定する判定手段と、この判定手段による判定結果を報知する判定結果報知手段と、を備える。
【００１２】
更に別の面から見た本発明は、電話回線に接続され、音声入力部から入力された音声を前記電話回線を通じて通信する電話機を制御するコンピュータに読取可能なプログラムであって、予め登録を要する者の前記音声入力部からの音声の入力を受け付ける登録音声入力機能と、この登録音声入力機能により受け付けた音声信号から個人性を表す個人性特徴量を抽出する第１特徴量抽出機能と、この特徴量抽出機能により抽出された個人性特徴量を記憶部に記憶する記憶機能と、前記電話回線からの音声の入力を受け付ける電話音声入力機能と、この電話音声入力機能により受け付けた音声信号から個人性を表す個人性特徴量を抽出する第２特徴量抽出機能と、この第２特徴量抽出機能により抽出した個人性特徴量と前記記憶部に記憶された個人性特徴量とを比較し、前記電話回線から入力された音声信号の発信者が前記記憶部に個人性特徴量が登録されている者であるか否かを判定する判定機能と、この判定機能による判定結果を報知する判定結果報知機能と、を前記コンピュータに実行させる。
【発明の効果】
【００１３】
本発明によれば、電話機に外部から電話がかかってきた場合において、個人性特徴量が記憶部に記憶されていない未登録者からの電話であった場合にはその旨を報知することにより、一人暮らしのお年寄りなどが電話機を使用する際に近親者等を登録者としておけば、一人暮らしのお年寄りなどを“オレオレ詐欺”等の被害から護ることができる。
【発明を実施するための最良の形態】
【００１４】
[第一の実施の形態]
本発明の第一の実施の形態を図１ないし図４に基づいて説明する。本実施の形態の電話機としては、コードレス電話機が適用されている。
【００１５】
ここで、図１は電話機１を示す平面図、図２は電話機１の構成を示すブロック図である。図１および図２に示すように、本実施の形態の電話機１は、電話回線であるＰＳＴＮ（Public Switched Telephone Network）４と商用電源５とに接続された親機２と、この親機２と無線通信する子機３とを互いに独立に設けた構造となっている。
【００１６】
親機２は、各部を制御するＣＰＵ（Central Processing Unit）６を備えている。このＣＰＵ６には、ＣＰＵ６が実行する制御プログラム等の固定データが書き込まれている記憶媒体であるＲＯＭ（Read Only Memory）７と、ワークデータ等の可変データを更新自在に書き込むＲＡＭ（Random Access Memory）８とがシステムバス９を介して接続されている。このようなＣＰＵ６には、ＰＳＴＮ４に接続されたＮＣＵ（Network Control Unit）１０と、子機３との無線手段であるＲＦ（Radio-Frequency）ユニット１１と、キーボード１２と、発声手段であるスピーカ１３と、電源回路１４と、ディスプレイ１５とがシステムバス９を介して接続されている。キーボード１２は、数字を入力するための「０」から「９」までの置数キー１２ａ、ユーザもしくはユーザの近親者等である登録者が電話機１の動作モードを登録モードに設定するための登録モード設定ボタン１２ｂ等を配列した外観構造を有している。
【００１７】
加えて、本実施の形態の電話機１の親機２には、発光手段である２つのＬＥＤ１６，１７が配設されており、これらのＬＥＤ１６，１７の発光を制御する発光制御回路１８もシステムバス９を介してＣＰＵ６に接続されている。なお、ＬＥＤ１６は青色に発光し、ＬＥＤ１７は赤色には発光する。
【００１８】
一方、子機３も、各部を制御するＣＰＵ２０を備えている。このＣＰＵ２０には、ＲＯＭ２１と、ＲＡＭ２２とがシステムバス２３を介して接続されている。このようなＣＰＵ２０には、親機２との無線手段であるＲＦユニット２４と、キーボード２５と、スピーカ２６と、音声入力部として機能するマイクロフォン２７と、充電式の電源２８とがシステムバス２３を介して接続されている。
【００１９】
次に、電話機１の親機２に内蔵されたＲＯＭ７に格納された制御プログラムに従ってＣＰＵ６が実行する各種の演算処理のうち、本実施の形態の特長的な処理について以下に説明する。
【００２０】
ここで、電話機１の親機２に内蔵されたＣＰＵ６が実行する各種の演算処理により実現される機能について説明する。図３に示すように、電話機１においては、登録音声入力手段３０、音質変換手段３１、第１特徴量抽出手段３２、電話音声入力手段３３、第２特徴量抽出手段３４、判定手段３５、判定結果報知手段３６の各機能が、ＣＰＵ６が実行する各種の演算処理により実現されている。なお、リアルタイム性が重要視される場合には、処理を高速化する必要がある。そのためには、論理回路（図示せず）を別途設け、論理回路の動作により各種機能を実現するようにするのが望ましい。
【００２１】
登録音声入力手段３０は、子機３のマイクロフォン２７からの音声の入力を受け付ける。
【００２２】
音質変換手段３１は、登録音声入力手段３０で受け付けた音声を電話音声品質（一般電話回線の場合４ＫＨｚ、８Ｂｉｔ）に変換する。音質変換手段３１は、電話音声品質に変換された登録音声を第１特徴量抽出手段３２に出力する。このように子機３のマイクロフォン２７から入力された音声を音質変換手段３１により電話音声品質に変換するようにしたのは、源信号の質が同等であった方が確実に登録者か否かを判定できるからである。なお、マイクロフォン２７の性能が低い場合や、第１特徴量抽出手段３２で音質の差が吸収できると見込める場合には、音質変換手段３１はなくても良い。
【００２３】
第１特徴量抽出手段３２は、電話音声品質に変換された登録音声を受け取ると、例えば個人性を有するケプストラム係数などの個人性特徴量を抽出し、この抽出した個人性特徴量を記憶部であるＲＡＭ８に記憶する。以上により、電話発信者の登録の手続きが完了する。
【００２４】
電話音声入力手段３３は、この電話機１に外部から電話がかかってきた場合、ＮＣＵ１０経由で電話発信者の音声を受け取る。
【００２５】
第２特徴量抽出手段３４は、電話音声入力手段３３で受け取った電話発信者の音声から、例えば個人性を有するケプストラム係数などの個人性特徴量を抽出する。
【００２６】
判定手段３５は、記憶部であるＲＡＭ８に記憶されている特徴量と、新たに抽出された電話発信者の特徴量の比較を行い、登録者の音声であるか否かを判定し、その結果を判定結果報知手段３６に出力する。
【００２７】
判定結果報知手段３６は、判定手段３５による判定結果に応じて、２つのＬＥＤ１６，１７のいずれか一方を発光させる。例えば、電話発信者が登録者であった場合には青色のＬＥＤ１６が発光し、電話発信者が登録者でなかった場合には赤色のＬＥＤ１７が発光するように設定しておく。このように設定しておけば、ユーザの近親者はユーザに対し、赤色のＬＥＤ１７が発光している場合は他人からの電話であるから信用してはいけないと教示しておけば、“オレオレ詐欺”等の被害に会うことは避けられる。
【００２８】
ここで、上述したような登録音声入力手段３０、音質変換手段３１、第１特徴量抽出手段３２、電話音声入力手段３３、第２特徴量抽出手段３４、判定手段３５、判定結果報知手段３６による発信者識別処理の流れについて図４のフローチャートを参照して詳細に説明する。
【００２９】
図４に示すように、ステップＳ１においては、電話機１の動作モードが登録モードであるか否かを判定する。このモード判定は、ユーザもしくはユーザの近親者等である登録者がキーボード１２の登録モード設定ボタン１２ｂを操作する等の動作で指定されるもので、登録モード設定ボタン１２ｂが操作されたか否かで、登録モードであるか通常の通常対話モードであるかが判定される。
【００３０】
電話機１の動作モードが登録モードであると判定した場合には（ステップＳ１のＹ）、子機３のマイクロフォン２７から入力された音声を受信すると、電話音声品質（一般電話回線の場合４ＫＨｚ、８Ｂｉｔ）に変換する（ステップＳ２）。
【００３１】
その後、電話音声品質に変換された登録音声から個人性を有するケプストラム係数などの個人性特徴量を抽出し（ステップＳ３）、この抽出した個人性特徴量（登録者特徴量）を記憶部であるＲＡＭ８に記憶する（ステップＳ４）。以上により、電話発信者の登録の手続きが完了する。すなわち、本実施の形態は、一人暮らしのお年寄りなどが電話機１を使う場合において、お年寄りの近親者などが電話機１に直接設定を行うことにより、お年寄りの近親者などが登録者となる場合を想定している。
【００３２】
このような電話発信者の登録の手続きを複数人について行いたい場合には、ステップＳ２〜Ｓ４の処理を繰り返せば良い。
【００３３】
一方、電話機１の動作モードが通常対話モードであると判定した場合には（ステップＳ１のＮ）、電話機１に外部から電話がかかってきた場合にＮＣＵ１０経由で電話発信者の音声を受信すると（ステップＳ５）、例えば個人性を有するケプストラム係数などの個人性特徴量（発信者特徴量）を抽出する（ステップＳ６）。
【００３４】
続いて、登録モードで予め登録した登録者特徴量をＲＡＭ８から呼び出し（ステップＳ７）、呼び出した登録者特徴量とステップＳ６で抽出した発信者特徴量とを順次比較する（ステップＳ８）。呼び出した１つの登録者特徴量とステップＳ６で抽出した発信者特徴量との比較の結果、呼び出した１つの登録者特徴量がステップＳ６で抽出した発信者特徴量に最も近いと判断した場合には（ステップＳ９のＹ）、当該登録者特徴量を候補者特徴量としてＲＡＭ８に一時的に記憶する（ステップＳ１０）。なお、既にＲＡＭ８に候補者特徴量が記憶されている場合には、新たな候補者特徴量に書き換えることになる。ステップＳ８〜Ｓ１０の処理は、全ての登録者特徴量とステップＳ６で抽出した発信者特徴量との比較が終わるまで（ステップＳ１１のＹ）、繰り返される。
【００３５】
以上のようにして最も発信者に近い候補者が選択されると、ステップＳ１２に進み、発信者特徴量と候補者特徴量とを比較する。ここでは、２つの特徴量の差が予め設定された閾値より大きいか小さいかの判定が行われる。
【００３６】
２つの特徴量の差が予め設定された閾値より小さい場合には（ステップＳ１３のＹ）、電話発信者が登録者であると判定し、青色のＬＥＤ１６を発光させる（ステップＳ１４）。一方、２つの特徴量の差が予め設定された閾値より大きい場合には（ステップＳ１３のＮ）、電話発信者が登録者でないと判定し、赤色のＬＥＤ１７を発光させる（ステップＳ１５）。
【００３７】
以上により、一人暮らしのお年寄りなどのユーザは、電話機１に外部から電話がかかってきた場合において、青色のＬＥＤ１６が発光している場合には近親者等の登録者との会話であると確信でき、赤色のＬＥＤ１７が発光している場合には近親者等の登録者でない者との会話であることがわかる。すなわち、近親者等の登録者の名前を名乗る相手との会話中に赤色のＬＥＤ１７が発光している場合には、他人が嘘をついている事を警戒できるようになる。
【００３８】
このように本実施の形態によれば、音声入力部として機能するマイクロフォン２７から入力させた予め登録を要する者の音声信号から個人性を表す個人性特徴量が抽出され、記憶部であるＲＡＭ８に記憶される。一方、電話がかかってきた場合には、電話回線であるＰＳＴＮ４からの音声信号から個人性を表す個人性特徴量が抽出され、当該個人性特徴量とＲＡＭ８に記憶された個人性特徴量とが比較され、電話回線であるＰＳＴＮ４から入力された音声信号の発信者がＲＡＭ８に個人性特徴量が登録されている者であるか否かが判定され、判定結果が報知される。これにより、電話機１に外部から電話がかかってきた場合において、個人性特徴量がＲＡＭ８に記憶されていない未登録者からの電話であった場合にはその旨が報知されることにより、一人暮らしのお年寄りなどが電話機１を使用する際に近親者等を登録者としておけば、一人暮らしのお年寄りなどを“オレオレ詐欺”等の被害から護ることが可能になる。
【００３９】
なお、本実施の形態においては、青色のＬＥＤ１６または赤色のＬＥＤ１７を発光させることにより、会話の相手が登録者であるか否かを報知するようにしたが、これに限るものではなく、判定結果の出力を音声等によって報知するようにしても良い。具体的には、電話発信者が登録者であると判定された場合、「登録です」「○○さんです（○○は人の名前）」等の音声を、電話発信者が未登録者であると判定された場合には「登録していない人からの電話です。」等の音声を電話機１の親機２に備えたスピーカ１３から出力することで実現できる。また、未登録者からの電話と判定された場合には、「注意してください」等の警告も合わせて発することも可能である。さらに、登録者と判定された場合には会話を妨げないように判定結果出力は行わずに、未登録者と判定された場合にのみ音声出力することも有効である。さらに、電話機１の親機２に備えたスピーカ１３ではなく、子機３のマイクロフォン２７から入力された音声やスピーカ２６への出力音に混信させることも可能である。即ち、「未登録者からの電話です」というメッセージをユーザに対して聞かせると同時に発信者に対しても聞こえるようにし、ユーザに対しては知らない人からの電話であることの警告を、発信者に対しては、話者認識機能付の電話機であること、即ち“オレオレ詐欺”対策機能付電話機であることを知らしめることが実現できる。
【００４０】
また、本実施の形態のステップＳ８においては、呼び出した登録者特徴量とステップＳ６で抽出した発信者特徴量とを順次比較するようにしたが、個人性特徴量が登録されている登録者毎に設定される登録者選択キー（図示せず）をキーボード１２に予め用意しておき、例えば発信者が名乗った近親者等の登録者が設定されている登録者選択キーを操作することにより記憶部であるＲＡＭ８に個人性特徴量が登録されている者のうち一人を選択し（登録者選択手段）、登録者選択キーの操作によって選択された登録者の個人性特徴量とステップＳ６で抽出した発信者特徴量とを比較するようにしても良い。これにより、特徴量の比較を速やかに実行することが可能になり、処理の軽減化を図ることが可能になる。なお、複数の登録者選択キーを操作することにより、二人以上を同時に選択するようにしても良い。
【００４１】
[第二の実施の形態]
次に、本発明の第二の実施の形態について図５を参照して説明する。なお、前述した第一の実施の形態と同一部分は同一符号で示し説明も省略する。第一の実施の形態においては、音声を子機３のマイクロフォン２７から入力して電話機１に直接設定を行う場合について説明したが、電話回線であるＰＳＴＮ４を通じて音声を入力して登録者を登録する点で第一の実施の形態とは異なるものである。
【００４２】
ここで、本実施の形態の電話機１の親機２に内蔵されたＣＰＵ６が実行する各種の演算処理により実現される機能について説明する。図５に示すように、電話機１においては、認証手段３７、登録音声入力手段３０、第１特徴量抽出手段３２、電話音声入力手段３３、第２特徴量抽出手段３４、判定手段３５、判定結果報知手段３６の各機能が、ＣＰＵ６が実行する各種の演算処理により実現されている。なお、リアルタイム性が重要視される場合には、処理を高速化する必要がある。そのためには、論理回路（図示せず）を別途設け、論理回路の動作により各種機能を実現するようにするのが望ましい。
【００４３】
認証手段３７は、登録者がＰＳＴＮ４を通じて音声の登録を行おうとした場合、認証を行う。この認証は、暗証番号等をＤＴＭＦ（Dial Tone Multi Frequency）で送ることで実現することができる。このように登録の際に、暗証番号等をＤＴＭＦで送るようにすることで、登録者をユーザの近親者等に制限することができる。
【００４４】
登録音声入力手段３０は、この電話機１に外部から電話がかかってきた場合、ＮＣＵ１０経由で電話発信者の音声を受け付け、認証手段３７で認証された場合にのみ、登録音声入力手段３０で受け付けた音声を第１特徴量抽出手段３２に出力する。この場合、ＮＣＵ１０経由で電話発信者の音声を受け付けるので、第一の実施の形態のように受け付けた音声を電話音声品質（一般電話回線の場合４ＫＨｚ、８Ｂｉｔ）に変換する必要はない。
【００４５】
第１特徴量抽出手段３２は、登録音声入力手段３０から出力された音声を受け取ると、例えば個人性を有するケプストラム係数などの個人性特徴量を抽出し、この抽出した個人性特徴量を記憶部であるＲＡＭ８に記憶する。以上により、電話発信者の登録の手続きが完了する。
【００４６】
電話音声入力手段３３は、この電話機１に外部から電話がかかってきた場合、ＮＣＵ１０経由で電話発信者の音声を受け取る。
【００４７】
第２特徴量抽出手段３４は、電話音声入力手段３３で受け取った電話発信者の音声から、例えば個人性を有するケプストラム係数などの個人性特徴量を抽出する。
【００４８】
判定手段３５は、記憶部であるＲＡＭ８に記憶されている特徴量と、新たに抽出された電話発信者の特徴量の比較を行い、登録者の音声であるか否かを判定し、その結果を判定結果報知手段３６に出力する。
【００４９】
判定結果報知手段３６は、判定手段３５による判定結果に応じて、２つのＬＥＤ１６，１７のいずれか一方を発光させる。例えば、電話発信者が登録者であった場合には青色のＬＥＤ１６が発光し、電話発信者が登録者でなかった場合には赤色のＬＥＤ１７が発光するように設定しておく。このように設定しておけば、ユーザの近親者はユーザに対し、赤色のＬＥＤ１７が発光している場合は他人からの電話であるから信用してはいけないと教示しておけば、“オレオレ詐欺”等の被害に会うことは避けられる。
【００５０】
なお、第一の実施の形態のように、電話機１を購入して設置する際にまず直接登録を行い、その後第二の実施の形態のようにＰＳＴＮ４を経由して登録を行うようにしても良い。人間の声は本人の成長や体形の変化、あるいは風邪をひいた等体調の変化でその特徴が変化することが知られている。通常、話者認識技術を利用する場合はこの声質の変化に対応するため、定期的に登録を更新するなどの運用が図られているが、この更新をＰＳＴＮ４を通じて行うことで、更新の度に電話機１のあるところまで行く必要がなくなる。
【００５１】
このように本実施の形態によれば、電話回線であるＰＳＴＮ４を通じて入力させた予め登録を要する者の音声信号から個人性を表す個人性特徴量が抽出され、記憶部であるＲＡＭ８に記憶される。一方、電話がかかってきた場合には、電話回線であるＰＳＴＮ４からの音声信号から個人性を表す個人性特徴量が抽出され、当該個人性特徴量とＲＡＭ８に記憶された個人性特徴量とが比較され、電話回線であるＰＳＴＮ４から入力された音声信号の発信者がＲＡＭ８に個人性特徴量が登録されている者であるか否かが判定され、判定結果が報知される。これにより、電話機１に外部から電話がかかってきた場合において、個人性特徴量がＲＡＭ８に記憶されていない未登録者からの電話であった場合にはその旨が報知されることにより、一人暮らしのお年寄りなどが電話機１を使用する際に近親者等を登録者としておけば、一人暮らしのお年寄りなどを“オレオレ詐欺”等の被害から護ることが可能になる。
【００５２】
なお、各実施の形態においては、記憶媒体としてＲＯＭ７を適用したが、ＲＯＭ７のみならず、半導体メモリ等、各種方式のメディアを用いることができる。また、インターネットなどのネットワークからプログラムをダウンロードし、不揮発性のＲＯＭ等にインストールするようにしてもよい。この場合に、送信側のサーバでプログラムを記憶している記憶装置も、この発明の記憶媒体である。なお、プログラムは、所定のＯＳ（Operating System）上で動作するものであってもよいし、その場合に後述の各種処理の一部の実行をＯＳに肩代わりさせるものであってもよいし、所定のアプリケーションソフトやＯＳなどを構成する一群のプログラムファイルの一部として含まれているものであってもよい。
【００５３】
また、各実施の形態においては、電話機としてコードレス電話機１を適用したが、これに限るものではなく、携帯電話等であっても良い。
【００５４】
さらに、各実施の形態において、登録時に認証を行う第１特徴量抽出手段と実際に電話がかかってきたときに認証を行う第２特徴量抽出手段というように、２つの特徴量抽出手段を有する形態として説明したが、第１特徴量抽出手段と第２特徴量抽出手段とは同一の特徴量抽出手段としても良い。
【図面の簡単な説明】
【００５５】
【図１】本発明の第一の実施の形態の電話機を示す平面図である。
【図２】電話機の構成を示すブロック図である。
【図３】電話機の機能を示す機能ブロック図である。
【図４】発信者識別処理の流れを示すフローチャートである。
【図５】本発明の第二の実施の形態の電話機の構成を示すブロック図である。
【符号の説明】
【００５６】
１      電話機
４      電話回線
８      記憶部
１３      発声手段
１６，１７      発光手段
２７      音声入力部
３０      登録音声入力手段
３１      音質変換手段
３２      第１特徴量抽出手段
３３      電話音声入力手段
３４      第２特徴量抽出手段
３５      判定手段
３６      判定結果報知手段
３７      認証手段
【図１】
2008271590.tif 000003
【図２】
2008271590.tif 000004
【図３】
2008271590.tif 000005
【図４】
2008271590.tif 000006
【図５】
2008271590.tif 000007